(57)【要約】      （修正有）【課題】固定構造を有する分割可能な分割式フィーディングチューブを提供する。【解決手段】分割式フィーディングチューブは、第１の管体１、第２の管体２及び結合部材３を備える。第１の管体１の一方の端部には、第１の結合端１１が設けられる。第２の管体２の一方の端部には、第２の結合端２１が設けられる。結合部材３は、内部が中空状の環状体であるとともに、内壁面に結合部３１を有する。結合部３１には、第１の結合端１１及び第２の結合端２１がそれぞれ連結固定される。第１の結合端１１及び第２の結合端２１は、ねじ部に成形される。結合部３１は、ねじ部に成形される。結合部３１の両端には、第１の結合端１１及び第２の結合端２１がそれぞれ螺着される。【選択図】図１
0003202767.tif 000002
【実用新案登録請求の範囲】
【請求項１】
第１の管体、第２の管体及び結合部材を備えた分割式フィーディングチューブであって、
前記第１の管体の一方の端部には、第１の結合端が設けられ、
前記第２の管体の一方の端部には、第２の結合端が設けられ、
前記結合部材は、内部が中空状の環状体であるとともに、内壁面に結合部を有し、
前記結合部には、前記第１の結合端及び前記第２の結合端がそれぞれ連結固定されることを特徴とする、
分割式フィーディングチューブ。
【請求項２】
前記第１の結合端及び前記第２の結合端は、ねじ部に成形され、前記結合部は、ねじ部に成形され、前記結合部の両端には、前記第１の結合端及び前記第２の結合端がそれぞれ螺着されることを特徴とする請求項１に記載の分割式フィーディングチューブ。
【請求項３】
前記結合部材は、第１のカバー及び第２のカバーを含み、前記第１のカバーと前記第２のカバーとは互いに対応する一方の縁部が枢着され、他方の縁部が互いに係合されると内部が中空状の環状体に成形され、前記結合部材の前記内壁面に設けられた前記結合部は、第１の結合部及び第２の結合部を含み、前記第１の結合部には、前記第１の結合端が結合され、前記第２の結合部には、前記第２の結合端が結合され、前記第１の結合端はねじ部に成形され、前記第１の結合部はねじ部に成形され、前記第１の結合端の前記ねじ部は、前記第１の結合部の前記ねじ部と螺着し、前記第２の結合部は凹孔に成形され、前記第２の結合端は凸部に成形され、前記凹孔と前記凸部とが嵌着固定されることを特徴とする請求項１に記載の分割式フィーディングチューブ。
【請求項４】
前記第２の管体の一方の端部には、先端部が形成され、前記先端部に隣接した周縁には、１つ以上の貫通孔が形成され、前記先端部と前記貫通孔との間、又は前記貫通孔間には、リング状の位置決め部材が固定されることを特徴とする請求項１に記載の分割式フィーディングチューブ。
【考案の詳細な説明】
【技術分野】
【０００１】
本考案は、分割式フィーディングチューブ（ｓｅｇｍｅｎｔａｌ  ｆｅｅｄｉｎｇ  ｔｕｂｅ）に関し、特に、分割可能な分割式フィーディングチューブを固定する構造に関する。
【背景技術】
【０００２】
嚥下困難、昏睡、口頸部の疾病を有していたり、手術などにより口から食事をすることができない患者は、胃腸の機能が正常である場合、医療従事者又は家族の手助けによりフィーディングチューブを介して栄養を投与し、患者の身体に必要なカロリー及び栄養を与えることが一般的である。
【０００３】
よく見かけるフィーディングチューブは、長尺状弾性管体であり、患者の鼻孔から挿入されて食道を経て胃に入れられる。もし胃の消化能力が好ましくない場合は、フィーディングチューブが胃を経て十二指腸に入れられる。フィーディングチューブによる栄養の投与は、フィーディングチューブが鼻孔から挿入されて胃まで入れられてから、流動状態にした飲食物をフィーディングチューブに注入し、フィーディングチューブを介して鼻腔から胃又は十二指腸へ送って行い、飲食物により必要なカロリー及び栄養を患者に与える。
【０００４】
しかしフィーディングチューブは、侵襲医療器具であり、フィーディングチューブを人体の鼻腔を介して胃の中へ挿入させる過程で患者の体に害を与える虞があった。そのため、人体にフィーディングチューブを挿入した後、後日再び挿入する手間と衛生上の問題から外さずにそのままにしておくことが一般的であった。それ故、従来のフィーディングチューブは、分割式が採用され、互いに対応した管口を突き合わせて結合し、患者は、フィーディングチューブの鼻腔から露出された部分を外すが、フィーディングチューブの鼻腔から胃に至る部分が依然として人体内に残されるため、次回、栄養を供給するときに直接接続して使用することができ、チューブを再び挿入する必要はない。
ただし、互いに対応した管口を突き合わせて接続する２つの分割式フィーディングチューブは、接続したり外したりするときでも人体に挿入してあるフィーディングチューブが容易に引っ張られて患者が不快に感じたり、人体内に置かれたフィーディングチューブの位置がずれたりしてしまうことがあった。特に、フィーディングチューブが患者の胃又は十二指腸まで挿入されて固定構造が全く設けられていない場合、摺動して位置がずれてしまうことがあった。
【０００５】
また、フィーディングチューブの管体が鼻孔から患者の胃又は十二指腸内まで挿入されると、例えば、鼻咽、噴門、十二指腸球部など人体の狭い空間を有する器官がフィーディングチューブの管体により圧迫されると不快に感じたり、圧迫されて粘膜が損傷したりすることがあり使用上、不便であった。
【０００６】
またフィーディングチューブが人体に挿入された後、外部からは先端の正確な位置を知ることができないため、フィーディングチューブが人体内で曲がったりして先端が所定の位置に達していない状態で栄養を投与すると、食べ物が人体の他の器官中に入って炎症などの症状が起きてしまう虞があった。
【考案の概要】
【考案が解決しようとする課題】
【０００７】
本考案の第１の目的は、フィーディングチューブが第１の管体と第２の管体とに分けられ、第２の管体の一端が鼻腔から胃へ挿入され、他方の端部が結合部材の一端と接続され、第１の管体の一方の端部が流体供給導入装置と接続され、第１の管体の他方の端部と結合部材の他方の端部とが接続され、結合部材を介して自在に着脱可能なため、病人の必要に応じて第２の管体を外したり取り付けたりし、外出したり移動したりする際の利便性を高め、フィーディングチューブの挿脱回数を減らし、病人の身体的負担を減らす、分割式フィーディングチューブを提供することにある。
本考案の第２の目的は、第２の管体の先端部に設けた位置決め部材を介し、内視鏡技術を利用して位置決め部材と、人体の胃又は十二指腸内壁とに止血クランプを挟設し、フィーディングチューブの第２の管体を人体の胃又は十二指腸内に位置決めすることにより、摺動して位置がずれることを防ぐ、分割式フィーディングチューブを提供することにある。
本考案の第３の目的は、フィーディングチューブの第２の管体上に、人体の器官の狭い空間（例えば、鼻咽、噴門、十二指腸球部など）に対応する少なくとも１つの防護部が形成されて患者が感じる不快感を減らすとともに、粘膜が圧迫されて損傷することを大幅に減らす、分割式フィーディングチューブを提供することにある。
本考案の第４の目的は、フィーディングチューブの先端部にセンサ部が設けられ、フィーディングチューブを人体へ挿入する過程で、Ｘ線発生装置が照射するＸ線によりセンサ部の正確な位置を知ることができるため、フィーディングチューブを所望の位置へ確実に挿入させることができる、分割式フィーディングチューブを提供することにある。
【課題を解決するための手段】
【０００８】
上記課題を解決するための本考案の第１の形態によれば、第１の管体、第２の管体及び結合部材を備えた分割式フィーディングチューブであって、前記第１の管体の一方の端部には、第１の結合端が設けられ、前記第２の管体の一方の端部には、第２の結合端が設けられ、前記結合部材は、内部が中空状の環状体であるとともに、内壁面に結合部を有し、前記結合部には、前記第１の結合端及び前記第２の結合端がそれぞれ連結固定されることを特徴とする分割式フィーディングチューブが提供される。
【０００９】
前記第１の結合端及び前記第２の結合端は、ねじ部に成形され、前記結合部は、ねじ部に成形され、前記結合部の両端には、前記第１の結合端及び前記第２の結合端がそれぞれ螺着されることが好ましい。
【００１０】
前記結合部材は、第１のカバー及び第２のカバーを含み、前記第１のカバーと前記第２のカバーとは互いに対応する一方の縁部が枢着され、他方の縁部が互いに係合されると内部が中空状の環状体に成形され、前記結合部材の前記内壁面に設けられた前記結合部は、第１の結合部及び第２の結合部を含み、前記第１の結合部には、前記第１の結合端が結合され、前記第２の結合部には、前記第２の結合端が結合され、前記第１の結合端はねじ部に成形され、前記第１の結合部はねじ部に成形され、前記第１の結合端の前記ねじ部は、前記第１の結合部の前記ねじ部と螺着し、前記第２の結合部は凹孔に成形され、前記第２の結合端は凸部に成形され、前記凹孔と前記凸部とが嵌着固定されることが好ましい。
【００１１】
前記第２の管体の一方の端部には、先端部が形成され、前記先端部に隣接した周縁には、１つ以上の貫通孔が形成され、前記先端部と前記貫通孔との間、又は前記貫通孔間には、リング状の位置決め部材が固定されることが好ましい。
【考案の効果】
【００１２】
本考案の分割式フィーディングチューブは、以下（１）〜（４）の効果を有する。
（１）フィーディングチューブを分割式に設計し、結合部材を介して第１の管体と第２の管体とを着脱自在に結合し、患者の必要に応じて第１の管体と第２の管体とを接合したり、第２の管体を外したりする。例えば、フィーディングチューブを介して栄養を投与しないときは、鼻から第１の管体がぶら下げられて見た目が一般の人と異なって他人から注目されることを防ぐために第１の管体を外すことができる上、第１の管体を外してマスクをすると、フィーディングチューブが挿設されていることが他人からは分からないため、患者の自尊心を高めることができる。
（２）フィーディングチューブの第１の管体及び第２の管体はそれぞれ単独で外すことができ、結合部材、第１の管体、第２の管体のうちの一つが損壊しても全体を交換せずに損壊した部分だけを交換することができるため、資源の無駄遣いを防ぐ。
（３）フィーディングチューブは、第１の管体又は第２の管体を外してフィーディングチューブの全長を短くすることができるため、洗浄が容易で、感染の機会を減らし、繰り返して使用することができる。
（４）第２の管体の先端部に設けた位置決め部材を介し、内視鏡技術を利用して止血クランプにより人体の胃又は十二指腸内壁に位置決め部材を挟設し、フィーディングチューブの第２の管体を人体の胃又は十二指腸内に位置決めするため、摺動して位置がずれることを防ぐ。
【図面の簡単な説明】
【００１３】
【図１】本考案の第１実施形態に係る分割式フィーディングチューブを示す分解斜視図である。
【図２】本考案の第１実施形態に係る分割式フィーディングチューブを示す組合せ断面図である。
【図３】本考案の第１実施形態に係る分割式フィーディングチューブと鼻腔との位置関係を示す説明図である。
【図４】本考案の第２実施形態に係る分割式フィーディングチューブを示す分解斜視図である。
【図５】本考案の第３実施形態に係る分割式フィーディングチューブを示す分解斜視図である。
【図６】本考案の第４実施形態に係る分割式フィーディングチューブを示す分解斜視図である。
【図７】本考案の第５実施形態に係る分割式フィーディングチューブを示す分解斜視図である。
【図８】本考案の第６実施形態に係る分割式フィーディングチューブを示す分解斜視図である。
【図９】本考案の第７実施形態に係る分割式フィーディングチューブを示す分解斜視図である。
【図１０】本考案の第７実施形態に係る分割式フィーディングチューブを示す組合せ断面図である。
【図１１】本考案の第８実施形態に係る分割式フィーディングチューブを示す組合せ断面図である。
【図１２】本考案の第９実施形態に係る分割式フィーディングチューブを示す分解斜視図である。
【図１３】本考案の第１０実施形態に係る分割式フィーディングチューブを示す分解斜視図である。
【図１４】本考案の第１１実施形態に係る分割式フィーディングチューブを示す部分拡大図である。
【考案を実施するための形態】
【００１４】
以下、本考案の実施形態について図に基づいて説明する。なお、これによって本考案が限定されるものではない。
【００１５】
（第１実施形態）
図１及び図２を参照する。図１及び図２に示すように、本考案の第１実施形態に係る分割式フィーディングチューブは、少なくとも第１の管体１、第２の管体２及び結合部材３から構成されてなる。
【００１６】
第１の管体１は、第１の結合端１１を一端に有する。第１実施形態の第１の結合端１１はねじ部に成形される。
【００１７】
第２の管体２は、第２の結合端２１を一端に有する。第１実施形態の第２の結合端２１は、第１の結合端１１と同様にねじ部に成形される。
【００１８】
結合部材３は、内部が中空状の環状構造体である。結合部材３の内壁面には、結合部３１が設けられる。第１実施形態の結合部３１はねじ部である。結合部３１の両端には、第１の結合端１１及び第２の結合端２１がそれぞれ連結固定される。
【００１９】
第１実施形態の結合部材３の両端に設けられた結合部３１はねじ部に成形される。結合部３１に、ねじ部に成形された第１の結合端１１と、ねじ部に成形された第２の結合端２１とが螺着されると、第１の管体１と第２の管体２とが結合部材３により直列接続され、内部の流路が互いに連通して流動食の輸送管体が形成される。
【００２０】
本考案の第１実施形態に係る分割式フィーディングチューブは、第１の管体１の第１の結合端１１に隣接した外表面の管壁上には、第１のストッパリング１２が突設される。第２の管体２の第２の結合端２１に隣接した外表面の管壁上には、第２のストッパリング２２が突設される。第２の管体２には、第２のストッパリング２２と離間するように外表面の管壁上に第３のストッパリング２３が突設される。第３のストッパリング２３には、第３のストッパリング２３の肉厚を貫通する複数の穿孔２４が形成される。
【００２１】
第１のストッパリング１２及び第２のストッパリング２２は、第１の管体１及び第２の管体２と結合部材３とが接合されたときの間隔を制限するために用いる。第３のストッパリング２３の直径を鼻孔の孔径より大きくし、フィーディングチューブの人体内に挿入される長さを制御する。穿孔２４は、鼻孔が第３のストッパリング２３により覆われた際に患者の呼吸が妨げられることを防ぐために用いる（図３を参照する）。
【００２２】
（第２実施形態）
図４を参照する。図４に示すように、本考案の第２実施形態に係る第２の管体２は、第２のストッパリング２２と第３のストッパリング２３との間に設けられた帯体２５を有する。帯体２５上には、トレードマークが印刷されてもよい。
【００２３】
（第３実施形態）
図５を参照する。図５に示すように、第１の結合端１１の端口及び第２の結合端２１の端口には、凹凸状の突合せ部１３，２６が設けられ、突合せ部１３，２６の凹凸結合により、第１の管体１と第２の管体２との間の接続部の漏れ防止効果を高める。
【００２４】
（第４〜６実施形態）
図６を参照する。図６に示すように、第１の結合端１１の端口と第２の結合端２１の端口とには、突き合わせ接続の密着ワッシャ１４，２７がそれぞれ設けられ、２つの密着ワッシャ１４，２７の柔軟弾性を利用し、第１の管体１と第２の管体２との間の接続部の漏れ防止効果を高めてもよい。勿論、第１の結合端１１又は第２の結合端２１の片方のみに、密着ワッシャ１４又は密着ワッシャ２７を設けてもよい（図７を参照する）。また、２つの密着ワッシャ１４，２７に凹凸対応する突合せ部１５，２８を設け、第１の管体１と第２の管体２との間の接続部の漏れ防止効果を高めてもよい（図８を参照する）。
【００２５】
（第７実施形態）
図９及び図１０を参照する。図９及び図１０に示すように、本考案の第７実施形態に係る分割式フィーディングチューブは、第１の管体１の第１の結合端１１をねじ部に成形され、第２の管体２の第２の結合端２９が凸部に成形される。結合部材４は、第１のカバー４１及び第２のカバー４２を含む。第１のカバー４１と第２のカバー４２とは互いに対応する一方の縁部が互いに枢着され、他方の縁部が互いに係合されると内部が中空状の環状体が成形される。
第１のカバー４１と第２のカバー４２とは、互いに対応する縁部に枢着耳部４１１，４２１が枢着され、枢軸４０を枢着耳部４１１，４２１に挿通し、第１のカバー４１と第２のカバー４２とは互いに対応する縁部が枢着され、第１のカバー４１と第２のカバー４２との互いに対応する他方の縁部には、係止孔４１２及び係合部４２２がそれぞれ設けられ、係合部４２２を係止孔４１２に係合して第１のカバー４１と第２のカバー４２との互いに対応する他方の縁部を係合する。
【００２６】
（第８実施形態）
図１１を参照する。図１１に示すように、第１のカバー４１と第２のカバー４２とは互いに対応する他方の縁部が枢着され、第１のカバー４１と第２のカバー４２とを組み合わせて内部が中空状の環状体に成形され、第１のカバー４１と第２のカバー４２との互いに対応する他方の縁部には、枢着耳部４１３，４２３が枢着され、枢軸４０を枢着耳部４１３，４２３に挿通し、第１のカバー４１と第２のカバー４２とが互いに対応する他方の縁部が枢着される。
結合部材４の内壁面には、第１の結合部４３及び第２の結合部４４が設けられ、第１の結合部４３と第１の結合端１１とが結合され、第２の結合部４４と第２の結合端２９とが結合される。第７実施形態に係る分割式フィーディングチューブの第１の結合部４３は、ねじ部に成形された第１の結合端１１を螺着するねじ部に成形される。第２の結合部４４は、凸部に成形された第２の結合端２９と嵌合する凹孔である。このように結合部材４を介して第１の管体１と第２の管体２とを接合してフィーディングチューブを形成し、流動食の輸送管体として用いてもよい。
【００２７】
凸部に形成された第２の結合端２９は、リング２９’上に設けられる。リング２９’は、第２の管体２上に周設され、リング２９’の設置個数は１つ又は２つでもよい。図９は、リング２９’の設置個数が１つである状態を示し、図１２は、リング２９’の設置個数が２つである状態を示す。リング２９’の設置個数に応じて第２の結合端２９上の凸部も増えるが、勿論、結合部材４の第２の結合部４４の凹部の数もそれに応じて増やしてもよい。
【００２８】
（第１０〜１１実施形態）
図１３を参照する。図１３に示すように、本考案の第１０実施形態に係る分割式フィーディングチューブは、第２の管体２の一端に先端部２０を有する。先端部２０は、丸頭状又は平頭状を呈し、先端部２０に隣接した箇所には、１つ以上の貫通孔２０１が形成される。先端部２０には、リング状の位置決め部材５が設けられる。位置決め部材５は、先端部２０の前縁と貫通孔２０１との間に挿通されるか、任意の２つの貫通孔２０１間に挿通されるか、第２の管体２の先端部２０と一体成形されてもよい（図１４を参照する）。
【００２９】
第２の管体２は、先端部２０が鼻孔から挿入されて食道及び胃を経て、十二指腸に達すると、内視鏡技術を利用して止血クランプにより先端部２０に設けた位置決め部材５を胃又は十二指腸内壁に挟設し、経管チューブの第１の結合端１１を胃又は十二指腸内に確実に位置決めし、摺動して位置がずれてしまうことを防いでもよい。
【００３０】
図１３を参照する。図１３に示すように、第２の管体２には、人体の器官（例えば、鼻咽、噴門、十二指腸球部など）の狭い空間に対応する少なくとも１つの防護部６が形成される。防護部６は、第２の管体２上に設けられた窪み部６１を有する。窪み部６１の外側は、防護層６２で覆われる。
防護層６２は、粘膜が圧迫されて損傷することを防ぐ材料からなり、患者の不快感を減らすとともに、粘膜が圧迫されて損傷する可能性を大幅に減らし、防護層６２の外径と、第２の管体２の窪み部６１以外の部分の外径とは等しく、防護層６２と第２の管体２の窪み部６１以外の部分の管壁表面とは平坦状を呈するか、防護層６２の最大外径が第２の管体２の窪み部６１以外の部分の外径より大きく、防護層６２の部分が突出されるか、防護層６２の最小外径が第２の管体２の窪み部６１以外の部分の外径より小さく、防護層６２が下凹状を呈してもよい。
【００３１】
図１３を参照する。図１３に示すように、第２の管体２は、先端部２０に設けられたセンサ部７を有する。第２の管体２上には、複数の補助センサ部７１が設けられる。センサ部７及び補助センサ部７１は、Ｘ線発生装置から照射されたＸ線に感光する金属感光物質を有する。フィーディングチューブの先端部２０には、センサ部７が設けられており、フィーディングチューブを人体内に挿入する過程で、Ｘ線を照射するとセンサ部７の正確な位置を知ることができるため、フィーディングチューブを所望の位置へ確実に挿入することができる。
【００３２】
センサ部７は、先端部２０の外縁を覆うか、先端部２０の外縁に形成するか、先端部２０の前端に直接接続する。そのため、第２の管体２は、先端部２０が鼻孔から挿入されて食道及び胃を経て、十二指腸に至る過程で、Ｘ線発生装置から照射されたＸ線により、センサ部７及び補助センサ部７１の位置を確実に知ることができるため、第２の管体２の先端部２０を所望の位置へ確実に挿入することができる。
【符号の説明】
【００３３】
１      第１の管体
２      第２の管体
３      結合部材
４      結合部材
５      位置決め部材
６      防護部
７      センサ部
１１    第１の結合端
１２    第１のストッパリング
１３    突合せ部
１４    密着ワッシャ
１５    突合せ部
２０    先端部
２１    第２の結合端
２２    第２のストッパリング
２３    第３のストッパリング
２４    穿孔
２５    帯体
２６    突合せ部
２７    密着ワッシャ
２８    突合せ部
２９    第２の結合端
２９’  リング
３１    結合部
４０    枢軸
４１    第１のカバー
４２    第２のカバー
４３    第１の結合部
４４    第２の結合部
６１    窪み部
６２    防護層
７１    補助センサ部
２０１  貫通孔
４１１  枢着耳部
４１２  係止孔
４１３  枢着耳部
４２１  枢着耳部
４２２  係合部
４２３  係合部
【図１】
0003202767.tif 000003
【図２】
0003202767.tif 000004
【図３】
0003202767.tif 000005
【図４】
0003202767.tif 000006
【図５】
0003202767.tif 000007
【図６】
0003202767.tif 000008
【図７】
0003202767.tif 000009
【図８】
0003202767.tif 000010
【図９】
0003202767.tif 000011
【図１０】
0003202767.tif 000012
【図１１】
0003202767.tif 000013
【図１２】
0003202767.tif 000014
【図１３】
0003202767.tif 000015
【図１４】
0003202767.tif 000016